(57)【特許請求の範囲】
【請求項１】
互いに対向して配置された少なくとも２つの反射面、並びに、体積型及び位相型であり光学的パワーを有する反射型ホログラムから成るホログラム面を有するプリズムと、
前記プリズムを透過する外界光の偏向を補正する偏向補正部材と、
画像表示手段と、を備え、
前記ホログラム面は、２つの前記反射面に対して傾斜し、
前記偏向補正部材は、前記ホログラム面で前記プリズムに装着され、
前記反射面のうち、少なくとも１つは入射角度により透過，反射を選択的に行う光束選択面であり、
前記画像表示手段からの画像光は、前記反射面以外の端面から前記プリズムに入射し、
前記プリズムに入射した画像表示手段からの画像光は、前記反射面間で反射され、続いて前記ホログラム面で回折反射されて、更に前記光束選択面を透過した後、観察者の瞳に導かれ、
前記画像光と前記外界光とが同時に視認される情報表示光学系。
【請求項２】
前記ホログラムは、前記画像表示手段からの画像光に対して、前記ホログラム面での正反射角より小さい回折反射角を有する請求項１に記載の情報表示光学系。
【請求項３】
互いに対向して配置された前記反射面は、前記画像光の前記プリズムへの入射側に開いた角度を有する請求項１または２に記載の情報表示光学系。
【請求項４】
前記偏向補正部材は、互いに対向して配置された前記反射面と同一平面上に、それぞれ面を持つ請求項１〜３のいずれか１項に記載の情報表示光学系。
【請求項５】
互いに対向して配置された前記反射面は、互いに略平行である請求項１、請求項２、請求項４のいずれか１項に記載の情報表示光学系。
【請求項６】
互いに対向して配置された前記反射面間の反射は、全反射である請求項１〜５のいずれか１項に記載の情報表示光学系。
【請求項７】
前記ホログラム面は平面である請求項１〜６のいずれか１項に記載の情報表示光学系。
【請求項８】
互いに対向して配置された前記反射面のうち、少なくとも１つは曲面である請求項１〜７のいずれか１項に記載の情報表示光学系。
【請求項９】
互いに対向して配置された前記反射面は、前記光束選択面を同一面上に有する請求項１、請求項２、請求項４〜８のいずれか１項に記載の情報表示光学系。
【発明の詳細な説明】
【０００１】
【発明の属する技術分野】
本発明は、情報表示光学系に関するものであり、特に、観察者の眼前に配置されて使用される画像表示装置用の情報表示光学系に関するものである。
【０００２】
【従来の技術】
従来より、頭部又は顔面に装着され、或いは手で保持されて、観察者の眼前にて使用される画像表示装置が知られており、例えばバーチャルリアリティー用や個人シアター用として製品化されている。また、最近では、いわゆるウェアラブルコンピュータのディスプレイ用として使用するものが研究されている。
【０００３】
具体的な構成としては、例えば、特開平７−３３３５５１号公報に記載されている如く、オリジナル画像の光を眼球へ導く観察光学系において、前記光を曲面にて眼球から離れる方向へ全反射させ、この全反射された光を反射面、特にアジムス角度の違いにより光学的パワーの異なる反射面で反射させ、前記曲線を透過させて眼球へ光を導く構成としている。
【０００４】
或いは、特開平９−１９７３３６号公報に記載されている如く、画像を表示する画像表示素子と、前記画像表示素子によって形成された画像を光路中で結像する事なく観察者眼球に導く接眼光学系とからなる画像表示装置において、前記接眼光学系は少なくとも３つの面を有し、前記画像表示素子を射出した光線が前記の少なくとも３つの面で３回反射し、観察者眼球に達するように構成され、前記の少なくとも３回の反射面の中少なくとも１面が観察者眼球側に凹面を向けた凹面鏡である構成としている。
【０００５】
また、特開平９−１９７３３７号公報に記載されている如く、少なくとも３つの隣合って配置された光学面からなる接眼光学系において、前記３つの光学面の中、少なくとも２つの光学面は光学系の瞳位置側に凹面を向けた曲面で構成され、且つ、前記曲面間で少なくとも４回の反射をする構成としている。
【０００６】
また、特開平９−２１９８３２号公報に記載されている如く、画像を表示する画像表示素子と、前記画像表示素子によって形成された画像を投影し、観察者眼球に導く接眼光学系とからなる画像表示装置において、前記接眼光学系は、前記画像表示素子から発した光線が前記観察者眼球に到るまでの反射回数が３回以上の奇数回であり、前記接眼光学系の前記観察者眼球の直前の面は、内部反射をすると共に、前記接眼光学系を射出する屈折面である構成としている。
【０００７】
或いは、特開平１０−３０７２６３号公報に記載されている如く、屈折率が１よりも大きい媒質を挟んだ複数の面によって形成されるプリズム光学素子において、前記プリズム光学素子が、前記プリズム光学素子内部に光線を入射させるか、若しくは、前記プリズム光学素子内部から光線を射出させる透過作用及び前記プリズム光学素子内部での内部反射作用とを合わせて有した第１面と、前記媒質を挟んで前記第１面と対向配置され前記プリズム光学素子内部での内部反射作用を有する第２面と、前記第２面と略近接する位置に配置され且つ前記第１面と前記媒質を挟んで対向配置され前記プリズム光学素子内部での内部反射作用を有する第３面と、前記第１面が光線を前記プリズム光学素子内部に入射させる作用を有するときには前記プリズム光学素子内部から光線を射出させる作用を有し、前記第１面が光線を前記プリズム光学素子内部から射出させる作用を有するときには前記プリズム光学素子内部に光線を入射させる作用を有するような透過作用を持った第４面とを有し、所定の条件式範囲を満たす構成としている。
【０００８】
また、特開平１１−１７４３６７号公報に記載されている如く、画像情報を表示した表示手段からの光束を観察者の眼球に導光する表示光学系と、外界からの光束を撮像素子に結像させる撮像光学系とを有し、光路中に設けた光路分離手段によって該表示光学系の観察者の眼球に入射する光束の眼球光軸又は該眼球光軸を延長した仮想眼球光軸と、該撮像光学系の外界から入射してくる光束の外界光軸とを略一致させており、該表示手段からの光束が該撮像光学系の撮像素子に入射するのを防止する遮光手段とを有している構成としている。
【０００９】
或いは、特開平５−３４６５０８号公報に記載されている如く、画像表示器からの画像情報に基づく光束を所定方向に回折させて、該画像情報と他の画像情報とを空間的に重畳させて同一視野で観察するためのホログラムレンズであって、該ホログラムレンズはＮ．Ａが等しい複数の要素ホログラムからなるｏｆｆ−ａｘｉｓ型である構成としている。
【００１０】
また、特開平９−１８５００９号公報に記載されている如く、メガネレンズ、メガネフレーム等のメガネの所定の部分に設けられ、メガネレンズに向かって表示画像を出射する画像表示手段と、前記メガネレンズを通して前記表示画像と外界を同時に視認するシースルー手段を備えた構成としている。
【００１１】
また、特開平１０−３１９３４３号公報に記載されている如く、画像表示光を出射する画像表示手段と、前記画像表示手段からの前記画像表示光を縮小して出射端面から出射する光ファイバー束と、前記光ファイバー束の前記出射端面からの前記画像表示光を回折或いは反射させて装着者の眼に導き、前記装着者に前記画像表示光に基づく虚像を視認させる眼前光学手段を備えた構成としている。
【００１２】
或いは、特開平２−２９７５１６号公報に記載されている如く、光放射を与えるための映像発生装置又は光源、その放射を平行にする対物視準レンズ又は視準器、第１の放物面鏡及び第２の放物面鏡並びに透明なプレートの同焦点アセンブリから成る組み合わせ光学装置から連続的に構成される視準光学システムが提供され、前記第１の鏡は前記第２の鏡に向けて平行線束にされた放射を反射するために反射性を有し、前記第２の鏡は、第１の鏡から受け取った放射を観測者に向けて反射によって伝達すると同時に、外部放射を観測者に向けてその透明性によって伝達する事を可能にするために、ある程度は透明であり、更に前記透明プレートは２つの端部を有し、その第１の面及び第２の面は平行であり、前記２つの端部は２つの放物面鏡によって別々に形成され、対物レンズと観測者との間の平行放射の光学経路は、連続的に、前記２つの平行面の１つでの第１の交差、第１鏡上での反射、前記平行面でのいくつかの全反射、第２の鏡上での反射、及び前記２つの平行面の１つでの第２の交差から成る構成としている。
【００１３】
【発明が解決しようとする課題】
しかしながら、上記特開平７−３３３５５１号公報に記載されているような構成においては、光束の入射角度によって全反射及び透過を選択的に行う光束選択面を含む凹面反射面を用いたプリズム構成となっているが、プリズム内の反射は幾何学的な正反射角を持って行われる構成であるので、光学系を薄型化する上で不利となる。また、プリズム内には対向する面間反射部分、即ち光束導光部がないので、プリズムが分厚くなる。また、表示画像と外界像を同時に視認するいわゆるシースルー機能を持つが、コンバイナが半透過面となっているので、外界像光量，表示画像光量ともに元の１／２となる。また、外界からの透過像の歪を補正するプリズムを曲面で接合する構成となっているので、製作が難しい。
【００１４】
また、上記特開平９−１９７３３６号公報、特開平９−１９７３３７号公報、特開平９−２１９８３２号公報にそれぞれ記載されているような構成においては、プリズムは対向する面を持ち、一部に入射角度によって全反射及び透過を選択的に行う光束選択面を含む自由曲面を用いたプリズム構成で、対向する面間での反射にて凹面反射面に光束を導く構成となっている。しかし、前記と同様にして、プリズム内の反射は幾何学的な正反射角を持って行われる構成であるので、光学系を薄型化する上で不利となる。
【００１５】
また、上記特開平１０−３０７２６３号公報、特開平１１−１７４３６７号公報にそれぞれ記載されているような構成においては、前記と同様にして、プリズムは対向する面を持ち、一部に入射角度によって全反射及び透過を選択的に行う光束選択面を含む自由曲面を用いたプリズム構成で、対向する面間での反射にて凹面反射面に光束を導く構成となっている。そして、外界からの透過像のシースルー観察が可能な構成となっている。しかし、前記と同様にして、プリズム内の反射は幾何学的な正反射角を持って行われる構成であるので、光学系を薄型化する上で不利となる。
【００１６】
特に、特開平１０−３０７２６３号公報に記載されている構成においては、外界からの透過像のシースルー観察は、画像表示領域外で行っているので、広い外界観察域が得られない。また、プリズムを退避させて外界を観察する実施例も挙げられているが、可動部が必要となるので、構成が複雑となる。また、特開平１１−１７４３６７号公報に記載されている構成においては、コンバイナがハーフミラーとなっており、外界からの透過像が暗くなる。
【００１７】
また、特開平５−３４６５０８号公報、特開平９−１８５００９号公報、特開平１０−３１９３４３号公報にそれぞれ記載されているような構成においては、コンバイナに反射型ホログラムレンズを用いているが、表示像の光束を折り畳むような光学系の構成となっておらず、コンパクトさに欠ける。また、表示光束と観察光束の分離のため、ホログラムコンバイナの偏心量が大きくなり、偏心収差が発生して良好な表示像が得られない。特に、特開平９−１８５００９号公報に記載されている構成においては、この偏心量が大きくて実質上広い表示画角を達成する事ができない。
【００１８】
また、特開平２−２９７５１６号公報に記載されているような構成においては、光束の入射角度によって全反射及び透過を選択的に行う光束選択面を含む凹面反射面を用いたプリズムに、外界からの透過像の歪を補正するプリズムを装着する構成となっているが、表示光学系に再結像光学系を用いており、コンパクトさに欠ける。また、表示光学系の接眼機能は凹面反射によるものであり、ホログラムはコンバイナとしての機能のみで、集光等を行う光学的パワーは有していない。従って、プリズム（或いは実施例で言うプレート）内の反射は幾何学的な正反射角を持って行われる構成であるので、光学系を薄型化する上で不利となる。また、凹面反射面にホログラムを作成する事は難しい。
【００１９】
本発明は、このような問題点に鑑み、薄型のコンパクトな構成が可能であり、また広い表示画角においても良好な映像が得られ、さらには外界の自然なシースルー観察も可能な情報表示光学系を提供する事を目的とする。
【００２０】
【課題を解決するための手段】
情報表示光学系は、互いに対向して配置された少なくとも２つの反射面、並びに、体積型及び位相型であり光学的パワーを有する反射型ホログラムから成るホログラム面を有するプリズムと、前記プリズムを透過する外界光の偏向を補正する偏向補正部材と、画像表示手段と、を備える。この情報表示光学系では、前記ホログラム面は、２つの前記反射面に対して傾斜し、前記偏向補正部材は、前記ホログラム面で前記プリズムに装着され、前記反射面のうち、少なくとも１つは入射角度により透過，反射を選択的に行う光束選択面である。そして、この情報表示光学系では、前記画像表示手段からの画像光は、前記反射面以外の端面から前記プリズムに入射し、前記プリズムに入射した画像表示手段からの画像光は、前記反射面間で反射され、続いて前記ホログラム面で回折反射されて、更に前記光束選択面を透過した後、観察者の瞳に導かれ、前記画像光と前記外界光とが同時に視認される。
【００２１】
なお、前記ホログラムは、前記画像表示手段からの画像光に対して、前記ホログラム面での正反射角より小さい回折反射角を有すると望ましい。また、互いに対向して配置された前記反射面は、前記画像光の前記プリズムへの入射側に開いた角度を有すると望ましい。
【００２２】
また、前記偏向補正部材は、互いに対向して配置された反射面と同一平面上に、それぞれ面を持つと望ましい。また、互いに対向して配置された前記反射面は、互いに略平行であると望ましい。
【００２３】
また、互いに対向して配置された前記反射面間の反射は、全反射であると望ましい。また、前記ホログラム面は平面であると望ましい。また、互いに対向して配置された前記反射面のうち、少なくとも１つは曲面であると望ましい。
【００２４】
また、互いに対向して配置された前記反射面は、前記光束選択面を同一面上に有することが望ましい。
【００２５】
【発明の実施の形態】
以下、本発明の実施の形態について、図面を参照しながら説明する。本発明の情報表示光学系では、ホログラムレンズを用い、液晶等の画像表示素子の任意の表示画像を瞳に導いて観察する。図１は、表示画像を瞳に導いて観察する構成として、幾何学的な正反射を用いた場合とホログラムによる回折反射を用いた場合との比較を模式的に説明する図である。同図（ａ）は幾何学的な正反射の場合、同図（ｂ）はホログラムによる回折反射の場合をそれぞれ示している。
【００２６】
同図（ａ）において、１０１は導光部であるプリズム、１０１ａはプリズム１０１下端部に傾斜して設けられた凹面反射面、１０３は瞳である。また、同図（ｂ）において、１０２は導光部であるプリズム、１０２ａはプリズム１０２下端部に傾斜して設けられたホログラム面、１０３は瞳である。まず、同図（ａ）に示すように、プリズム１０１内を下方へと透過してきた表示画像の光束Ｌは、凹面反射面１０１ａで正反射され、集光されつつ瞳１０３に導かれる。一方、同図（ｂ）に示すように、プリズム１０２内を下方へと透過してきた表示画像の光束Ｌａは、ホログラム面１０２ａで回折反射され、集光されつつ瞳１０３に導かれる。
【００２７】
ここで、前述のように、ホログラムは回折素子の働きを持ち、ミラーのような幾何学的な正反射とは違う回折反射を行う事ができる。つまり、ホログラム基板の傾きには影響されず、任意の方向へ回折反射させる事が可能であるので、光学系の大きさが幾何学的な条件で決まってしまう事がなくなる。
【００２８】
具体的には、例えば図２に模式的に示すように、反射面１０４に入射した入射光ｌｓに対して、正反射したときの反射光を破線で示すｌａとすると、このときの入射角及び反射角は、共にαで同じである。ところが、反射面１０４を回折反射面とすると、実線で示す回折反射光ｌｂの反射角βをαより大きい角度とする事ができる。これにより、反射光の方向が同じである場合は、正反射の場合よりも反射面１０４の傾きを小さくする事ができる。
【００２９】
従って、図１（ａ），（ｂ）にそれぞれ示すように、瞳１０３の位置が変わらなければ、凹面反射面１０１ａよりもホログラム面１０２ａの方が傾きを小さくする事ができるので、プリズム１０１の厚さｔよりもプリズム１０２の厚さｔａを小さく、即ち薄くする事ができる。また、ホログラムは平面であっても光学的パワーを持つ事ができるので、後述するシースルー機能を持たせた場合に、表示画像の光束に対しては回折反射によりレンズとして作用し、外界光に対してはノンパワーとなるので、外界像の自然な観察が可能となる。
【００３０】
図３は、透過型及び反射型ホログラムの回折波長巾を説明するグラフである。同図では、ホログラム感材の屈折率が１．５、記録波長５３０ｎｍ、ホログラム感材の厚さ５μｍのときの、入射光と射出光の角度差に対する透過型及び反射型ホログラムの波長選択性を示している。同図の横軸に角度差を、縦軸に回折波長巾を取っている。同図に示すように、角度差が９０度以下であるとき、即ち透過型ホログラムの場合、回折波長巾が百数十ｎｍ以上と、非常に広くなる事が分かる。ここで、可視光域は約４００ｎｍ〜７００ｎｍと、３００ｎｍ程度の波長巾しかないので、透過型ホログラムが殆どの可視光に作用する場合も有り得る。
【００３１】
一方、角度差が９０度以上となるとき、即ち反射型ホログラムの場合、透過型ホログラムの場合と比べて回折波長幅が格段に狭くなり、波長選択性が非常に高くなる事が分かる。つまり、反射型ホログラムは、ある波長には作用するが、その他の波長には作用しない性質を持つ。従って、反射型ホログラムを、表示画像と外界像を同時に視認するいわゆるシースルー機能のためのコンバイナとして用いた場合、外界光の一部の波長にしか作用しないので、外界光は殆どコンバイナの影響を受けずに済み、明るく良好なシースルー観察が可能となる。
【００３２】
図４は、単色の反射型ホログラムにおける、可視光域の入射光の波長に対する反射光と透過光の強度の関係の一例を示すグラフである。同図の横軸に波長（ｎｍ）を、縦軸に反射又は透過率（％）を取っている。また、実線で表す曲線ａは反射率を、破線で表す曲線ｂは透過率をそれぞれ示している。反射型ホログラムは、特定の波長（回折波長）の光にしか作用しないので、同図に示すように、ここでは５３０ｎｍ付近の光を反射し、それ以外の波長域の光を透過している。これにより、外界光と画像光を重合して観察するシースルー型情報表示が可能となる。
【００３３】
図５は、カラーの反射型ホログラムにおける、可視光域の入射光の波長に対する反射光と透過光の強度の関係の一例を示すグラフである。同図の横軸に波長（ｎｍ）を、縦軸に反射又は透過率（％）を取っている。また、実線で表す曲線ａは反射率を、破線で表す曲線ｂは透過率をそれぞれ示している。反射型ホログラムは、特定の波長（回折波長）の光にしか作用しないので、同図に示すように、ここではＲ，Ｇ，Ｂの波長域の光を反射し、それ以外の波長域の光を透過している。
【００３４】
これにより、画像光をカラー表示する場合でも、外界光と画像光を重合して観察するシースルー型情報表示が可能となる。ホログラムは記録波長に対応した回折波長を持つので、上記のようなカラーホログラムは、ひとつのホログラム感材に異なる記録波長で多重露光する事や、各々異なる記録波長で作成されたホログラムを積層する事で実現可能である。
【００３５】
図６は、ホログラム製造光学系の概略構成を模式的に示す図である。本発明の情報表示光学系は、ホログラムレンズが表示画像の光束に対して斜めに傾いて配置され、接眼機能としての光学的パワーを持つので、非軸対称光学系となる。このような非軸対称光学系において、共軸レンズと同等の働きしか行われない場合は、偏心による非対称な歪曲（台形歪曲）や像面湾曲が発生する。そこで、これらの発生を防ぐためには、ホログラムには回転対称な波面再現性だけではなく、自由曲面的な波面再現性を持たせる事が望ましい。
【００３６】
このようなホログラムレンズは、同図に示すように、複数のレンズを偏心させて組み合わせた製造光学系Ｇｒを用いて作成される。ここでの構成は、後述する第１の実施形態の情報表示光学系に用いたホログラムレンズを作成するためのものを一例として挙げている。ホログラムレンズ作成にあたっては、レーザー光をビームスプリッタによって２つの光束に分岐し、各々第１，第２の２つの点光源Ａ，Ｂを配設して、ここからの光をそれぞれプリズム１下端部に斜めに配置されたホログラム感材Ｈに入射させる。
【００３７】
ここで、第２の点光源Ｂは、情報表示光学系における表示画像の観察者の瞳位置に略一致するように設けられている。これにより、第２の点光源Ｂからの光と表示画像からの光の光路がほぼ一致するので、ホログラムレンズの使用状態での回折効率を最も高くする事ができる。また、第１の点光源Ａとホログラム感材Ｈとの間には、上記製造光学系Ｇｒが配置されており、これは偏心して組み合わされたＧ１〜Ｇ５の５枚のレンズで構成されている。この製造光学系Ｇｒは、表示画像が良好な像として観察できるように、第１の点光源Ａからの光の波面をコントロールするように構成されている。
【００３８】
なお、以下に示す各実施形態に使用されるホログラムとしては、回折効率が高く明るい表示画像及び外界像を得るために、厚みを持ったいわゆる体積型で光吸収の少ない位相型の反射型ホログラムが適している。
【００３９】
図７は、本発明の第１の実施形態の情報表示光学系の構成を模式的に示す縦断面図である。同図において、プリズム１は右斜め上方に開いた板状をしており、その上端面が入射面ｒ７となっている。そして、図の左右にそれぞれ対向して配置される第１の反射面ｒ６及び第２の反射面ｒ５を有しており、これらは略平行に配置されている。さらに、下端部には右に傾斜して配置されるホログラム面ｒ３が設けられている。ホログラム面ｒ３にはホログラムレンズが形成されている。また、第１の反射面ｒ６とホログラム面ｒ３は楔形状を成す。この第１の反射面ｒ６は、入射角度によって全反射，透過を選択的に行う光束選択面ｒ４，ｒ２を同一面上に有している。
【００４０】
プリズム１の下端部より見て図の左方向には、瞳２が位置している。瞳２は瞳面ｒ１を有している。座標系は、瞳２の中心を原点とし、瞳２の正面方向即ち図の右方向をＺ軸プラス方向、上方向をＹ軸プラス方向に取り、紙面をＹＺ平面とする。また、紙面に垂直向こう側をＸ軸プラス方向としている。これは以下の実施形態においても同様である。なお、プリズム１の入射面ｒ７の右斜め上方には、例えば透過型液晶より成る画像表示素子３が配置されており、その前面である表示面ｒ９上には、平板ガラスより成る画像表示部材４が設けられている。そして、その表面をｒ８としている。
【００４１】
同図に示すように、画像表示素子３の表示面ｒ９からの表示画像の光束Ｌは、画像表示部材４を経てその表面ｒ８から射出し、プリズム１の入射面ｒ７に入射する。入射面ｒ７よりプリズム１内に入射した光束Ｌは、第１の反射面ｒ６に入射し、ここで反射（全反射）される。第１の反射面ｒ６で反射された光束Ｌは、対向して配置される第２の反射面ｒ５に入射し、ここで反射（全反射）される。第２の反射面ｒ５で反射された光束Ｌは、光束選択面ｒ４に入射し、ここで反射（全反射）される。光束選択面ｒ４で反射された光束Ｌは、ホログラム面ｒ３に入射する。
【００４２】
光束Ｌの波長は、ホログラム面ｒ３におけるホログラムの回折効率がピークとなる波長と略一致しており、ホログラム面ｒ３で光束Ｌは反射される。ホログラム面ｒ３で反射された光束Ｌは、光束選択面ｒ２を透過し、瞳２の瞳面ｒ１に導かれる。ホログラム面ｒ３におけるホログラムは光学的パワーを有しており、表示画像を拡大観察させる接眼機能を持つ。これにより、光束Ｌは観察者の瞳に拡大投影される。また、図１で説明したように、ホログラムによる回折反射においては、幾何学的な正反射とは違う角度の反射角を持つ事ができるので、ホログラム面ｒ３の傾きを小さくする事ができ、これによりプリズム１の薄型化を図る事ができる。
【００４３】
本実施形態では、対向して配置される反射面、即ち第１の反射面ｒ６及び第２の反射面ｒ５により、光束Ｌを複数回反射する構成とする事により、プリズム１のホログラム面ｒ３への導光部が薄く形成されている。また、入射角度によって全反射，透過を選択的に行う光束選択面により、光束Ｌが光路中にて折り畳まれ、光路分割しなくても光束の取り出しが可能となり、各光学要素のコンパクトな配置構成が実現されている。また、ホログラムレンズの偏心量も低減されており、偏心収差の発生が少なく、良好な表示画像を得る事ができる。
【００４４】
また、ホログラムは、基本的にそのホログラムを作成した光束と同じ波長及び角度を持つ光束を与えたときの波面再現性が最も良く、回折効率が最も高くなるので、画像表示素子３からの光束Ｌは、ホログラム面ｒ３上に形成されたホログラムレンズの回折効率がピークとなる波長に強度のピークを持つ光束とする事が望ましい。
【００４５】
例えば、５３０ｎｍ付近に回折効率のピークを持つホログラムを用い、画像表示素子３には液晶等の非自発光型の素子を用いた場合、これを照明する光源としては、５３０ｎｍ付近に発光強度のピークを持つ緑色のＬＥＤ等が適している。ＬＥＤは、半値巾２０〜４０ｎｍの発光波長巾を持つので、これを表示画像光の光源とした場合、エネルギー効率の良い構成とする事ができる。
【００４６】
また、このホログラムの作成に用いたレーザーと同じ発光波長を有するレーザーを光源としても良い事は勿論である。その他、上記図５で説明したように、このホログラムを複数の波長に対して回折効率のピークを持つカラーホログラムとする事もできる。
【００４７】
図８は、本発明の第２の実施形態の情報表示光学系の構成を模式的に示す縦断面図である。本実施形態は、第１の実施形態と比較して、対向する反射面での反射を１回増やし、画像表示部を観察者の瞳側に配置した例である。ここでは光束Ｌがプリズム１を透過する際に、対向する面間反射が１回増えてこの面が第１の反射面（ｒ５，ｒ７）となっている事と、第２の反射面（ｒ６）が同一面上に光束選択面（ｒ２，ｒ４）を有している事以外は、基本的に第１の実施形態と同様の構成である。
【００４８】
図９は、本発明の第３の実施形態の情報表示光学系の構成を模式的に示す縦断面図である。本実施形態は、第１の実施形態と比較して、対向する反射面（第１，第２の反射面）を光束の入射面側に開いた角度で配置する事により、画像表示部をプリズムのほぼ真上に配置し、光学系全体の薄型化を図った例である。ここでは第１の反射面（ｒ６）に連なる第３の反射面（ｒ２，ｒ４）を設け、光束選択面としている。光束Ｌがプリズム１を透過する様子は第１の実施形態と同様である。
【００４９】
図１０，図１１は、それぞれ本発明の第４，第５の実施形態の情報表示光学系の構成を模式的に示す縦断面図である。基本構成はそれぞれ第１，第３の実施形態と同様であるが、ここでは対向する反射面を曲面化し、表示画像に対する収差補正機能を持たせ、画質の改善を図っている。具体的には、この曲面を自由曲面（アナモルフィック非球面）とし、特に偏心収差の低減を図っている。
【００５０】
図１２は、本発明の第６の実施形態の情報表示光学系の構成を模式的に示す縦断面図である。本実施形態は、画像表示素子に例えば反射型液晶等の反射型のものを用いて、その照明光学系をプリズムの一部で構成している。反射型液晶等の画像表示素子は、その画像表示側から照明光を入射させる必要があるので、ここでは照明光源と瞳を略共役関係とし、照明効率の高い明るい画像を確保している。
【００５１】
同図において、ＬＥＤ等の光源６から射出した照明光束Ｌａは、照明光入射面ｒ１４からプリズム１内に入射し、照明用反射面ｒ１３で反射され、射出面ｒ１２より射出する。そして、画像表示部材４の直前に設けられたコンデンサーレンズ５の表面ｒ１１より入射し、画像表示部材４を介して画像表示素子３に入射する。ここでは照明光束を画像光束として変調し、反射して表示面ｒ１０から射出する。
【００５２】
画像表示素子３の表示面ｒ１０からの表示画像の光束Ｌは、画像表示部材４を経てその表面ｒ９から射出し、更にコンデンサーレンズ５を経てその表面ｒ８から射出し、プリズム１の入射面ｒ７に入射する。その後の光束Ｌがプリズム１を透過する様子は第１の実施形態と同様である。なお、プリズム１の射出面ｒ１２と入射面ｒ７、コンデンサーレンズ５の表面ｒ１１とｒ８は、それぞれ同一面である。
【００５３】
ここでの照明光学系は、凸レンズであるコンデンサーレンズ５と、凹面鏡である照明用反射面ｒ１３とにより、瞳２と共役な面をプリズム１近傍に作成し、ここに光源６を置く事で、照明効率の高い系を達成している。これにより、照明光量を無駄なく用いた明るい画像が観察可能となる。このように、プリズムの一部に照明光学系を構成する事により、光学系全体のコンパクト化も図る事ができる。
【００５４】
図１３は、本発明の第７の実施形態の情報表示光学系の構成を模式的に示す縦断面図である。本実施形態は、第１の実施形態の構成に、プリズムである偏向補正部材を装着した例である。第１（及び第２，第６）の実施形態においては、対向する反射面（第１，第２の反射面）は平行に配置されているため、この部分はＺ軸プラス方向又はマイナス方向からの外界光を歪なく透過させ、瞳２に導く事ができる。ところが、ホログラムの偏心量低減のため、ホログラム面ｒ３と光束選択面は平行ではなく、角度を持たせて配設されている。
【００５５】
即ち、ホログラム面ｒ３は傾いてプリズム１下部に配置されているので、これによりプリズム１下部は楔形状となり、この部分を通過した外界光は、等倍であるが偏向されて出てくる。そこで、本実施形態では、図１３に示すように、ホログラム面ｒ３に接合、或いは微小な間隔をおいて平行配置される斜面７ａを持ち、対向する第１，第２の反射面の延長面にそれぞれ一致した面７ｂ，７ｃを持つプリズムである偏向補正部材７を装着している。これにより外界光の偏向が補正され、自然な外界光観察が可能となる。また、ホログラム面ｒ３は平面であるので、ホログラム感材を構成しやすく、さらには偏向補正部材７の斜面７ａを突き合わせるときの位置精度が低くて済み、装着が容易となる。
【００５６】
また、これまで述べてきたように、対向する反射面の面間反射は全反射としており、外界光は遮断されないので、広い外界観察領域が得られる。以上のような状態で、ホログラム面ｒ３はコンバイナとしての働きを持つ。つまり、ホログラム面ｒ３のような反射型ホログラムは、特定の波長（回折波長）の光にしか作用しないので、上記図４で説明したように、外界光と画像光を重合して観察するシースルー型情報表示が可能となる。このことは、上記図５で説明したように、カラーホログラムの場合でも同様である。なお、本実施形態のような偏向補正部材を設ける構成は、上記第２，第６の実施形態においても適用可能である。
【００５７】
図１４は、本発明が適用される頭部装着型の画像表示装置の一例の外観図である。これまで述べてきたように、本発明の情報表示光学系は、薄型の構成が可能であるため、同図に示すように、眼鏡状の画像表示装置を実現する事ができる。ここでは眼鏡のレンズに当たる部分にプリズム１及び偏向補正部材７がはめ込まれ、その上部に照明光学系８が配置されている。
【００５８】
また、フレーム９の先端からは、コード１０が延びており、これが図示しないモバイルパソコンや携帯電話等に接続され、ここから画像情報を受け取る仕組みである。さらに、近距離ならばワイヤレスとする事もできる。そして、上述したホログラムの特質により、高いシースルー機能も確保されるので、使用者に負担の少ない、常時装着可能なＨＭＤ（ヘッドマウンテッドディスプレイ）となる。これは、いわゆるウェアラブルコンピューターの画像表示装置としても最適なものとなる。
【００５９】
図１５は、前記頭部装着型の画像表示装置の情報表示光学系部分の縦断面図である。同図に示すように、照明光学系８内のＬＥＤ等より成る光源６から出た光は、コンデンサーレンズ５を経て画像表示素子３を照明する。そして、ここで画像光として変調されて射出し、画像表示部材４を経てプリズム１内を透過し、ホログラム面ｒ３で反射されて瞳２に到達する。このとき、プリズム１及び偏向補正部材７を通して外界像のシースルー観察も可能である。また、プリズム１及び偏向補正部材７にレンズとしての働きを設け、視度補正機能を持たせる事により、通常の眼鏡として兼用する事も可能である。
【００６０】
図１６は、本発明を携帯電話に適用した一例の外観図である。本発明の情報表示光学系は、薄型の構成が可能であるため、同図に示すように、携帯電話のフリッパー部に内蔵された画像表示装置を実現する事ができる。ここでは携帯電話の本体１１に回動自在に軸支されたフリッパー部１２に、本発明の情報表示光学系を内蔵し、観察窓１３より表示画像を観察する。これにより、携帯電話の通常の表示画面では表示できない、広視野で詳細な画面表示を行う事ができる。
【００６１】
また、フリッパー部１２内部に照明光学系から接眼光学系まで全て内蔵されており、フリッパー部１２の開閉により各光学要素の配置関係が変動しないので、誤差要因が少ない。このようにして、従来の携帯電話の構成を大きく変更する事なく、本発明の情報表示光学系を内蔵する事ができるので、携帯性に優れた画像表示装置を実現する事ができる。
【００６２】
図１７は、前記携帯電話のフリッパー部１２に内蔵された画像表示装置の情報表示光学系部分の縦断面図である。同図に示すように、照明光学系８内のＬＥＤ等より成る光源６から出た光は、画像表示素子３を照明する。そして、ここで画像光として変調されて射出し、画像表示部材４を経て接眼光学系であるプリズム１内を透過し、ホログラム面ｒ３で反射されて、観察窓１３を経て瞳２に到達する。
【００６３】
以下、本発明に係る光学系の構成を、コンストラクションデータを挙げて、更に具体的に示す。なお、以下に挙げる実施例１〜６は、上述した第１〜第６の実施形態にそれぞれ対応している。また、本発明の実施例に用いたホログラムは全て、作成波長（記録波長），使用波長共５３２ｎｍ、使用次数は１次である。また、各面の配置データは、瞳面中心を原点としたグローバル座標系として表現されている。Ｘ，Ｙ，Ｚ各軸の方向は、上記図７で説明した通りである。そして、各々ＸＳＣ，ＹＳＣ，ＺＳＣとして各面の位置を示す。単位はｍｍである。また、Ｘ，Ｙ，Ｚ各軸を回転軸としたときの、各面の傾きをＡＳＣ，ＢＳＣ，ＣＳＣとして表す。単位は度である。
【００６４】
ホログラム面の定義については、作成に用いる２光束を定義する事により、ホログラムを一義的に定義する。２光束の定義は、各光束の光源位置と、各光源からの射出ビームが収束ビーム（ＶＩＡ）及び発散ビーム（ＲＥＡ）のどちらであるかで行う。第１の点光源（ＨＶ１）、第２の点光源（ＨＶ２）の座標をそれぞれ（ＨＸ１，ＨＹ１，ＨＺ１）、（ＨＸ２，ＨＹ２，ＨＺ２）とする。
【００６５】
また、各実施形態においては、複雑なホログラムによる波面再生を行うので、２光束の定義に加えて、位相関数φにより入射光線に対する射出光線の方向余弦でも定義する。位相関数φは以下の数１に示すホログラム面の位置（Ｘ，Ｙ）による生成多項式であり、係数が１次〜１０次までの昇順の単項式で表される。コンストラクションデータにおいては、位相関数φの係数Ｃjを示す。
【００６６】
【数１】
0004325064.tif 000002
【００６７】
なお、係数Ｃjの番号ｊは、ｍ，ｎをＸ，Ｙの指数として以下の数２で表される。
【００６８】
【数２】
0004325064.tif 000003
【００６９】
ここで、射出光線のＸ軸，Ｙ軸，Ｚ軸方向余弦は、以下の数３で表される。
【００７０】
【数３】
0004325064.tif 000004
【００７１】
なお、数３において、ｌ′，ｍ′，ｎ′は各々射出光線の法線ベクトル、ｌ，ｍ，ｎは各々入射光線の法線ベクトル、λは再生光束の波長、λ0はホログラム作成光束の波長である。
【００７２】
コンストラクションデータにおいて、アナモルフィック非球面に関するパラメータは、各面とその光軸との交点を原点とし、光軸をＺ軸としたときの、以下の数４で定義されるＺ軸方向のサグＺを規定するものである（単位ｍｍ）。また、データ中の曲率半径はＹ軸方向の曲率半径であり、ＲＤＸはＸ軸方向の曲率半径である。
【００７３】
【数４】
0004325064.tif 000005
【００７４】
ここで、ＣＵＸ，ＣＵＹはそれぞれＸ軸方向，Ｙ軸方向の曲率である。
【００７５】
0004325064.tif 000006
【００７６】
0004325064.tif 000007
【００７７】
0004325064.tif 000008
0004325064.tif 000009
【００７８】
0004325064.tif 000010
【００７９】
0004325064.tif 000011
【００８０】
0004325064.tif 000012
【００８１】
0004325064.tif 000013
0004325064.tif 000014
【００８２】
0004325064.tif 000015
【００８３】
0004325064.tif 000016
0004325064.tif 000017
【００８４】
0004325064.tif 000018
【００８５】
0004325064.tif 000019
0004325064.tif 000020
【００８６】
0004325064.tif 000021
【００８７】
なお、特許請求の範囲で言う画像表示手段は、実施形態における画像表示素子に対応している。
【００８８】
【発明の効果】
以上説明したように、本発明によれば、薄型のコンパクトな構成が可能であり、また広い表示画角においても良好な映像が得られ、さらには外界の自然なシースルー観察も可能な情報表示光学系を提供する事ができる。
【図面の簡単な説明】
【図１】幾何学的な正反射とホログラムによる回折反射との比較説明図。
【図２】幾何学的な正反射とホログラムによる回折反射との比較説明図。
【図３】透過型及び反射型ホログラムの回折波長巾を説明するグラフ。
【図４】入射光の波長に対する反射光と透過光の強度関係を示すグラフ（単色）。
【図５】入射光の波長に対する反射光と透過光の強度関係を示すグラフ（カラー）。
【図６】ホログラム製造光学系の概略構成を模式的に示す図。
【図７】第１の実施形態の情報表示光学系の構成を模式的に示す縦断面図。
【図８】第２の実施形態の情報表示光学系の構成を模式的に示す縦断面図。
【図９】第３の実施形態の情報表示光学系の構成を模式的に示す縦断面図。
【図１０】第４の実施形態の情報表示光学系の構成を模式的に示す縦断面図。
【図１１】第５の実施形態の情報表示光学系の構成を模式的に示す縦断面図。
【図１２】第６の実施形態の情報表示光学系の構成を模式的に示す縦断面図。
【図１３】第７の実施形態の情報表示光学系の構成を模式的に示す縦断面図。
【図１４】本発明が適用される頭部装着型の画像表示装置の一例の外観図。
【図１５】頭部装着型の画像表示装置の情報表示光学系部分の縦断面図。
【図１６】本発明を携帯電話に適用した一例の外観図。
【図１７】携帯電話のフリッパー部に内蔵された画像表示装置の情報表示光学系部分の縦断面図。
【符号の説明】
１    プリズム
２    瞳
３    画像表示素子
４    画像表示部材
５    コンデンサーレンズ
６    光源
７    偏向補正部材
【図１】
0004325064.tif 000022
【図２】
0004325064.tif 000023
【図３】
0004325064.tif 000024
【図４】
0004325064.tif 000025
【図５】
0004325064.tif 000026
【図６】
0004325064.tif 000027
【図７】
0004325064.tif 000028
【図８】
0004325064.tif 000029
【図９】
0004325064.tif 000030
【図１０】
0004325064.tif 000031
【図１１】
0004325064.tif 000032
【図１２】
0004325064.tif 000033
【図１３】
0004325064.tif 000034
【図１４】
0004325064.tif 000035
【図１５】
0004325064.tif 000036
【図１６】
0004325064.tif 000037
【図１７】
0004325064.tif 000038